(57)【特許請求の範囲】
【請求項１】
複数のモジュールを具備するモジュール式気体分配部組立体であって、前記モジュールのそれぞれは、基部に固定された気体分配部によって形成され、前記基部のそれぞれは、少なくとも一つの共通圧力ダクト部分と、少なくとも一つの共通排気ダクト部分と、前記基部のうちの隣接する基部へ固定するための固定手段とを具備し、前記気体分配部のそれぞれは、三つの分配オリフィスを介して前記基部のうちの対応する基部と連通する平らな滑り分配部分と、圧力オリフィスと、前記基部のうちの対応する基部の前記共通圧力ダクト部分及び前記共通排気ダクト部分の延在方向と平行な滑り機構の軸線とを有し、前記モジュール式気体分配部組立体の前記気体分配部のうちの少なくとも二つの気体分配部は異なる容量であり、前記二つの気体分配部の一方は、前記二つの気体分配部の他方の前記三つの分配オリフィスの断面積の少なくとも二倍の断面積の前記三つの分配オリフィスを有し、前記滑り機構の前記軸線と垂直な平面における前記モジュールのそれぞれの外形断面は前記気体分配部のうちの対応する気体分配部の容量に係わらずに同一であることを特徴とするモジュール式気体分配部組立体。
【請求項２】
前記基部のそれぞれに対向して位置する前記気体分配部のそれぞれの前記三つの分配オリフィスは、前記滑り機構の前記軸線と直交する長手寸法を有する三つの細長穴の形状であり、前記長手寸法は、異なる容量の前記気体分配部にとって同一であり、前記モジュール式気体分配部組立体の前記気体分配部のうちの少なくとも一つの気体分配部の前記三つの細長穴のそれぞれの幅は、前記気体分配部のうちの最も小さな容量の気体分配部の前記三つの細長穴のそれぞれの幅の少なくとも二倍であることを特徴とする請求項１に記載のモジュール式気体分配部組立体。
【請求項３】
前記気体分配部のうちの最も小さな容量の気体分配部において、前記三つの細長穴の前記幅と前記長手寸法との比は、１：１５から１：２０の範囲内であり、前記三つの細長穴の間の空間の幅は、前記三つの細長穴の前記幅以上であることを特徴とする請求項２に記載のモジュール式気体分配部組立体。
【請求項４】
前記気体分配部のうちの最も小さな容量の気体分配部の前記三つの細長穴の一つの断面積は、１２ｍｍ２であることを特徴とする請求項３に記載のモジュール式気体分配部組立体。
【請求項５】
前記基部は、ネジによって相互連結され、前記ネジは、前記共通圧力ダクト部分及び前記共通排気ダクト部分と平行に前記基部内を延在するネジ切り頭部を有することを特徴とする請求項３又は４に記載のモジュール式気体分配部組立体。
【請求項６】
前記基部のそれぞれの前記共通圧力ダクト部分及び前記共通排気ダクト部分は、前記ネジ切り頭部の側の端部に、切除されることによって前記基部のそれぞれから除去可能な遮蔽部材が設けられていることを特徴とする請求項５に記載のモジュール式気体分配部組立体。
【請求項７】
前記基部のそれぞれは、矩形の平行六面体の形状の底部プレートと、前記滑り機構の前記軸線と平行な前記気体分配部のうちの対応する気体分配部が設置される表面と垂直に延在する背部とを有していることを特徴とする請求項５又は６に記載のモジュール式気体分配部組立体。
【請求項８】
前記背部のそれぞれの上面は、前記気体分配部のうちの対応する気体分配部の上面と同じ高さであり、前記背部のそれぞれは、前記基部のうちの対応する基部から離間する側で前記気体分配部のうちの対応する気体分配部の上に設置された電気制御パイロット弁の一端部において、固定ネジを受け入れるためのナットと適合し、前記電気制御パイロット弁の他端部は、前記気体分配部のうちの対応する気体分配部の本体の収納部へ滑り込むタブによって前記気体分配部のうちの対応する気体分配部に固定されることを特徴とする請求項７に記載のモジュール式気体分配部組立体。
【請求項９】
前記背部のそれぞれは、前記モジュールのうちの共に連結される種々のモジュールの間の接続と、前記電気制御パイロット弁のうちの対応する電気制御パイロット弁と前記モジュールのうちの対応するモジュールとの間の接続とを形成する電気接続手段のための支持部を形成することを特徴とする請求項７又は８に記載のモジュール式気体分配部組立体。
【発明の詳細な説明】
【０００１】
【発明の属する技術分野】
本発明は、複数のモジュールを具備し、各モジュールが基部に固定された気体分配部によって形成され、モジュールが基部を介して一体化されたモジュール式気体分配部組立体に関する。
【０００２】
【従来の技術】
機能ブロックにおいて分配部を連結する気体式及び電気気体式自動化装置において、共通の圧力ダクトと、それらを通過する一つ又は二つの共通の排気ダクトとを有する各分配部は、広汎慣習となっており、これは、満足する分配部をかなり簡単化し、特に良好に系統立てられた装置をもたらす。
【０００３】
装置における各一団の気体式アクチュエータのために、機能ブロックは、分離して制御されるアクチュエータと同じ多くの分配部を具備して組み立てられる。この機能ブロックは、アクチュエータ近傍に設置され、一つだけの圧力供給と、一つ又は二つだけの排気戻しとを必要とする。加えて、最近の変形例において、機能ブロックは、さらに、プラグ接続可能なソケットを介して接続された複数導体を有する単一ケーブルを介して、供給電力及び指令の全てを受け取ることができる。
【０００４】
実際的に、単一装置に配置された気体式アクチュエータは、種々の大きさであり、圧縮空気のための非常に異なる要求を有する可能性がある。特に、各アクチュエータは、それ自身の大きさと空気流要求とに応じた容量の分配部と協働しなければならない。これは、一般的に行われることであり、機能ブロックを均一化することができる範囲を制限する容量の最適化である。単一の機能ブロックと協働する一団の気体式アクチュエータにおいて、アクチュエータは、一般的に変化させられ、現在までに、製造業者は、容量が同一の分配部の連結だけを提供しており、それにより、一団の小さなアクチュエータのために、高価な過剰寸法とされる分配部を必要とする。
【０００５】
【発明が解決しようとする課題】
本発明の目的は、この問題を解決するための解法を提案することであり、すなわち、単一の機能ブロックに異なる容量の分配部を連結することを可能とすることである。
【０００６】
本発明は、観察から由来し、それにより、自動化された気体式装置で必要なほぼ全ての圧縮空気流は、１２ｍｍ2 から５０ｍｍ2 の範囲内に位置する流れ断面積によって満足可能であり、主に１２ｍｍ2 から３８ｍｍ2 の範囲であり、これは、２ｍｍから７ｍｍ好ましくは８ｍｍの範囲内に位置する内径を有する分配部とアクチュエータとの間の連結管に対応している。この観察に基づき、このような全ての要求を、利用可能な少数の分配部の容量だけを、例えば、二つの分配部の容量であって、第一容量は１２ｍｍ2 の内部気体流断面積を有し、第二容量は３６ｍｍ2 の内部気体断面積を有する二つの分配部の容量だけを形成することによって、満足すると判断される。第一容量は、約６ｍｍから３５ｍｍの範囲内に位置する直径を有するアクチュエータの気体要求を満足可能である。第一容量は、２ｍｍから４ｍｍの範囲内に位置する内径及び４ｍｍから６ｍｍの範囲内に位置する外径の連結管を受け入れ可能である。第二容量は、３５ｍｍから１２０ｍｍの範囲内に位置する直径を有するアクチュエータの圧縮空気要求を満足することを意図している。この連結管は、６ｍｍ又は７ｍｍの内径と、８ｍｍ又は１０ｍｍの外径とを有している。
【０００７】
もちろん、これらの数値は、単に例として与えられ、装置の最小容量での最大に可能な要求数を最適に満足するような妥協検索と同然であるが、同じ系統において、第一容量が１２ｍｍ2 以上である時に第二容量が５０ｍｍ2 （連結管の内径は８ｍｍである）として選択可能であることが理解されなければならない。さらに、例えば、１２ｍｍ2 、３０ｍｍ2 、及び４８ｍｍ2 の各流れ断面積を有する三つの容量を選択可能である。
【０００８】
こうして、これらの系統において、特定の切り換え技術を選択することによって、本発明は、モジュール式の気体分配部組立体を形成することを可能とし、すなわち、異なる容量の分配モジュールを採用すること及び外観において整理された単一の分配部組立体を形成するように直接的に分配モジュールを組み付け可能とする。
【０００９】
【課題を解決するための手段】
このために、本発明は、複数のモジュールを具備するモジュール式気体分配部組立体を提供し、各モジュールは、少なくとも一つの共通長さの圧力ダクトと、少なくとも一つの共通長さの排気ダクトと、隣接する基部への固定手段とを具備する基部上に固定された気体分配部から構成され、このモジュール式気体分配部組立体は、各気体分配部が三つの分配オリフィスを介して基部と連通する平らな滑り分配部分を有する分配部であり、滑り機構の軸線が基部上の共通の圧力ダクト及び排気ダクトの方向と平行であり、モジュール式気体分配部組立体の少なくとも二つの分配部が異なる容量を有し、一方が他方の分配オリフィスの少なくとも二倍の断面積の分配オリフィスを有し、滑り機構の軸線と垂直な平面上の各モジュールの断面の外形が分配部の容量に係わらず同一であることにおいて、際立っている。
【００１０】
容量に係わらず各モジュールの同一断面は、モジュール式気体分配部組立体が、各モジュールの基部を直接的に互い連結させることによって、組み立てられることを可能とする手段となる。この同一断面を実現するために、第一に、切り換え技術を平らな滑り分配部分に基づかせることが必要であり、以前の筒状の滑り分配部分の選択をやめ、第二に、大きな容量の断面積が小さな容量の断面積の少なくとも二倍の流れ断面積を提供し、気体装置で必要な圧縮空気流の大部分を、このような少なくとも二つの容量を具備する少数の容量によって満足させることが必要である。
【００１１】
本発明の好適な実施形態において、小さな容量の分配部の内部流れ断面積は１２ｍｍ2 である。この断面積は、内径４ｍｍ（外径６ｍｍ）の管を有する気体自動化装置の分野において極めて広汎な使用に対応し、外径が１／４インチに等しいアメリカ合衆国における同等な大きさに対応している。
【００１２】
本発明により、各分配部の分配オリフィスは、滑り機構の軸線と直交する長手寸法の細長穴を形成し、この細長穴は異なる容量の分配部において同一であり、気体分配部組立体の少なくとも一つの分配部の細長穴の幅は、最も小さな容量の分配部の細長穴の幅の少なくとも二倍である。
【００１３】
これらの容量の一つからもう一つの容量へ移行することが望まれる時に、分配オリフィスの断面積の大きな変更は、その幅だけに作用することによって実現され、それにより、断面積の大きな増加がストロークの非常に小さな増加によって実現される。その結果として、異なる容量の二つの分配部の唯一の違いは、その滑り分配部分の軸線に平行に測定される大きさであり、一方、互いに連結されるのに適した一般的な分配モジュールにおいては、容量の変更は、全ての三つの寸法の大きさを変更することを引き起こし、それにより、それらの間の適合部を提供しないで異なる容量のモジュールを連結することは不可能であり、それにより、それらを組み込むモジュール式気体分配部組立体の外観を損ない全体大きさをさらに増大させる。
【００１４】
同様な好適な方法において、本発明の小さな容量の分配部の分配オリフィスの二つの寸法の間の比は、１：１５から１：２０の範囲であり、二つの隣接するオリフィスの間の空間は、オリフィスの最も小さな寸法以上である。
【００１５】
これらの数値は、多くの試行錯誤の後に見い出され、少なくとも１：２の比の流れ断面積を有する二つの容量のための滑り分配部分のストロークの違いを、容量に係わらずに、分配オリフィスを提供する壁部上のシューの接触性が全体的に適当であるように、可能な限り小さい絶対値とすることが最適である。これは、異なる容量の二つの分配部分の間の大きさの違いを最小限とすることを可能とし、こうして、極めて小型のモジュール式気体分配部組立体を得ることができる。
【００１６】
本発明の他の特徴及び利点は、以下の種々の実施形態の記述から明らかになる。
【００１７】
【発明の実施の形態】
最初に、平らな滑り分配部分２６の構造が説明される。この滑り分配部分２６は、外形が全体的に矩形の平行六面体の形状である本体１を有し、この本体１は、基部２７との連結のための底面２と、電気制御パイロット弁２８を取り付け可能な上面３と、前面４と、二つの端面５及び６とによって区画される（図１及び３）。本体１は、端面５及び６と実質的に垂直な軸をガイドするための筒状当接表面を有する中空内部が設けられ、この軸には、滑り機構８が取り付けられている。滑り機構８をガイドするために、二つの当接表面の間において、本体１の中空内部は、側壁によって区画された室部９を形成し、この室部９は、室部９の内側へ向けられた平面１０である部分を有している。一般的に、この平面１０は、本体１の主部分と分配部支持プレート１２との間において本体１内に挿入された分配プレート１１によって担持され、分配プレート１１は滑らかで実質的に底面２と平行であり、この底面２を介して分配部分２６が基部２７と連結される。
【００１８】
滑らかな分配プレート１１は、三つの分配オリフィス１３，１４，１５を有し、シュー１６は、滑り機構８と協働し、滑らかな分配プレート１１の平面１０上を滑り可能である。シュー１６は、軸線７に沿って滑り機構８によって取られる最端位置に従属する中空内部１７を有している。シュー１６は、例えば、第一位置において分配オリフィス１３及び１４の間の連通を実現するように機能し、この連通は室部９から遮断され、最後の分配オリフィス１５を開放し、それにより、最後の分配オリフィス１５は、不変的に室部９内に存在する圧力を受ける。図示されていない圧力オリフィスは、例えば、基部２７に収納されたモジュール式気体分配部組立体２０の全ての分配部分２６へ加圧された流体を供給するための共通の供給ダクトを介して、室部９と圧力源との間の不変の連通を提供する。滑り機構８の第二位置において、シュー１６の中空内部１７は、分配オリフィス１４及び１５の間の連通を実現し、この連通は室部９から遮断され、一方、分配オリフィス１３は室部９と連通される。室部９が圧力源に接続されており、中央の分配オリフィス１４が排気通路に接続されているために、滑り機構８が第一位置となる時には、分配オリフィス１３は排気通路に接続され、特に基部２７を介して、分配オリフィス１３へ導かれる気体回路の一部は、排気通路との連通状態に置かれ、一方、分配オリフィス１５へ導かれる気体回路の一部は、加圧状態に置かれる。シュー１６のもう一つの位置（図示せず）においては、分配オリフィス１５及びそこで終端する気体回路の一部は排気通路へ接続され、一方、分配オリフィス１３で終端する気体回路の他の部分は圧力源と連通する。
【００１９】
図３に示す実施形態において、滑り機構８の位置の変更は、パイロット室１８及び１９を選択的に圧力源又は排気通路へ接続することによって得られ、これらのパイロット室１８及び１９は滑り機構８の端部において本体１に形成されている。これらのパイロット室１８及び１９のそれぞれを供給通路又は排気通路へ接続することは、電気制御パイロット弁２８によって制御される。
【００２０】
図３において、図示された平らな滑り分配部分２６は二つのパイロット室１８及び１９を有している。もちろん、本発明は、さらに、滑り機構８の一端部だけと協働する一つのパイロット室１８又は１９だけを有する平らな滑り分配部分２６を提供し、滑り機構８の他の端部は、滑り機構８を所定位置へ連続的に付勢する戻しスプリングに当接している。二つのパイロット室１８及び１９を有する分配部分２６では、二つの電気制御パイロット弁２８が、滑り機構８を導くのに必要であり、一方、一つのパイロット室１８又は１９しか有さない分配部分２６では、単一の電気制御パイロット弁２８で十分である。小さな容量の分配部分２６と協働する基部２７が、大きな容量の分配部分２６と協働する基部２７からの対応出口オリフィス４４ｂより小さな直径の出口オリフィス４４ａを有することが図３に見られる。
【００２１】
図１のモジュール式気体分配部組立体２０は、五つの連結モジュール、すなわち、入口モジュール２１と、三つの小さな容量のモジュール２２，２３，２４と、一つの大きな容量のモジュール２５とを有している。入口モジュール２１から分離する各モジュール２２〜２５は、平らな滑り分配部分２６と、基部２７と、二つのパイロット室１８及び１９を有する分配部分２６のための二つの電気制御パイロット弁２８又は一つのパイロット室１８又は１９しか有さない分配部分２６のための一つの電気制御パイロット弁２８及び空カバー（図２に２８で参照される）とを有している。
【００２２】
基部２７において、小さな容量のモジュール２２，２３，２４のそれぞれは、エルボと称される連結部２９によって表された二つの小さな直径の出口を有する。大きな容量のモジュール２５は、エルボと称される連結部３０によって表された二つの大きな直径の出口を有する。図１及び２から判るように、入口モジュール２１から離間するモジュール式気体分配部組立体２０を通る断面において、小さな容量のモジュール２２，２３，２４と大きな容量のモジュール２５との間に存在する違いは、連結方向で測定されたモジュール２２，２３，２４，２５の寸法及びそれに連結された連結部２９，３０の大きさだけである。
【００２３】
図２は、この単一の違いを明確に示し、各モジュール２２，２３，２４，２５の外形Ｐは、小さな容量又は大きな容量でも完全に同一である。
【００２４】
図面は、異なる容量のモジュール２２，２３，２４，２５から構成されることを可能とする一方で、モジュール２２，２３，２４，２５の三つの寸法の一つだけを変更する本発明の寸法決定の利点を示している。第一の利点は、単に、外形によるものであるが、この利点は、モジュール式気体分配部組立体２０の基部２７が共通圧力ダクト部分３４及び共通排気ダクト部分３５の間の相応関係を保証することを可能とするために、何よりもまして実用的で機能的な特性であり、さらに、非常に簡単な手段、例えば、ネジ類等の手段によって単に基部２７を並置及び連結することにより電気導体にとって適当である。
【００２５】
同一の横断形状の異なる容量のモジュール２２，２３，２４，２５を有することを可能とし、それにより、これらのモジュール２２，２３，２４，２５を単一の均一モジュール式気体分配部組立体２０に連結させることが可能となる理由は、平らな滑り分配部分２６の構造的な配置の改良に存在する。
【００２６】
これらの構造的な配置の一つは、分配部分２６に使用される滑らかな分配プレート１１に関連している。図４（Ａ）は、小さな容量の分配部分２６ための分配プレート１１ａの平面図を示し、図４（Ｂ）は、大きな容量の分配部分２６ための分配プレート１１ｂの平面図を示している。これらの分配プレート１１ａ，１１ｂに設けられた分配オリフィス１３，１４，１５が滑り機構８の軸線７と直交して延在する長手寸法Ｌの細長穴の形状であることが、これらの図面に見られる。この長手寸法Ｌは、分配部分２６の容量に係わらずに同一である。分配オリフィス１３，１４，１５の断面積が分配部分２６の容量を決定するために、これらの分配オリフィス１３，１４，１５の断面積を変化させることによって、分配部分２６の容量は対応して変化させられ、このために必要な全ては、分配オリフィス１３，１４，１５の流れ断面積を変化させるように分配オリフィス１３，１４，１５の幅を変化させることである。図４（Ａ）及び図４（Ｂ）において、分配プレート１１ａの分配オリフィス１３，１４，１５の幅ｌａは、分配プレート１１ｂの分配オリフィス１３，１４，１５の幅ｌｂの三分の一である。数値例として、ｌａは０．８ｍｍに等しく、ｌｂは２．４ｍｍに等しい。小さな容量の分配部分２６のための分配オリフィス１３，１４，１５間の空間ｄは０．９ｍｍであり、大きな容量の分配部分２６のための分配オリフィス１３，１４，１５間の空間は２．４ｍｍであり、一方、長さＬは１５ｍｍである。内部流れ断面積は、こうして、それぞれ、１２ｍｍ２と３６ｍｍ２である。
【００２７】
分配部分２６の全体寸法における分配オリフィス１３，１４，１５の幅ｌａ，ｌｂの影響を最小限にするために、分配オリフィス１３，１４，１５の長手寸法Ｌはストローク方向と垂直に延在している。多くの試行錯誤の後、分配部分２６の全体的な大きさに関しての最適な解法は、最も小さな容量の分配部分２６の分配オリフィス１３，１４，１５にとっては、幅ｌａと長手寸法Ｌの比を１：１５から１：２０の範囲内に、分配オリフィス１３，１４，１５間の空間ｄの幅を、実質的に、分配オリフィス１３，１４，１５の幅ｌａ以上に選択することによって得られる。
【００２８】
この解法は、基部２７をアクチュエータへ連結する管のための連結部２９，３０が受け入れられる出口オリフィス４４ａ及び４４ｂ（図３）にとっても最適である。二つの容量を有する本発明の好適な実施形態にとっては特に、軸線７に沿う大きな容量の基部２７の大きさは、小さな容量の基部２７の大きさより約５０％大きく、それにより、長い基部２７において内径７ｍｍを有する管のための連結部３０を受け入れるための出口オリフィス４４ｂと、短い基部２７において内径４ｍｍを有する管のための連結部２９を受け入れるための出口オリフィス４４ａとを、調和して提供することが可能となる。
【００２９】
二つの異なる容量のための異なる流れ断面積は、例えば、分配オリフィス１３，１４，１５の長手方向で測定されるようなシュー１６の大きさに、又は、滑り機構８の直径に、又は、滑り機構８と滑らかな分配プレート１１との間の空間等に影響せず、異なる容量のための寸法差の全ては、単一方向、すなわち、滑り機構８の軸線７に沿ってだけ延在する。滑り機構８の軸線７を、モジュール２２，２３，２４，２５が単一の組立体を形成するために共に組み付けられる方向に沿って延在させることによって、寸法はモジュール式気体分配部組立体２０の組み付け方向だけに延在して変化し、種々の容量のために均一な断面積の基部２７を有することが可能となる。
【００３０】
図５は、分配部分２６の滑り機構８の方向と平行な水平面での基部３１，２７ｂ、２７ａの断面図である。この図面において、共通圧力ダクト部分３４及び共通排気ダクト部分３５のための入口及び出口手段を有する入口モジュール２１の基部３１は、電気導体に適した部分を有し、詳細には図示されていない。この基部３１には、端部の一方においてネジ切りされ、端部の他方においてネジ回しを受け入れるための頭部３３を有する筒状スリーブの形状のナット３２が単に設けられていることが判る。当然に大きな容量のモジュール２５に対応する基部２７ｂは、分配部分２６のそれぞれへ圧力を提供するために貫通する共通圧力ダクト部分３４と、分配部分２６からの排気を取り出すための共通排気ダクト部分３５とを有している。この基部２７ｂは、密閉ガスケット３６と接触する平面当接によって、また、基部２７ｂに設けられた適当な収納部に埋設された頭部３８を有するネジ３７によって、入口モジュール２１の基部３１と連結される。このネジ３７は、ナット３２と係合するように基部３１のナット３２と整列させられる。この頭部３８は、ネジ回し受け入れ細長穴３９と、次の基部２７ａ、例えば、小さな容量のモジュール２２，２３，２４に対応する基部２７ａの組み付けネジ４１を受け入れるネジ切り部４０とを有している。
【００３１】
この基部２７ａには、さらに、共通圧力ダクト部分３４及び共通排気ダクト部分３５と、異なる長さを無視すればネジ３７と同一のネジ４１とが設けられている。
【００３２】
基部２７ａは、本発明のモジュール式気体分配部組立体２０の終端基部を構成し、こうして、共通圧力ダクト部分３４及び共通排気ダクト部分３５を閉鎖する遮蔽部材４２及び４３を保持していることが判る。これらの遮蔽部材４２及び４３は、除去可能であり、もし、基部２７ａがモジュール式気体分配部組立体２０内の二つのモジュール２２，２３，２４，２５の間に挿入されるならば、組み付け以前に、遮蔽部材４２及び４３は、基部２７ａを終端基部としては使用できなくするように、基部２７ａの本体への取り付け部を切断されることによって除去される。こうして、本発明の全てのモジュールの基部２７は、最初に使用される以前には遮蔽部材４２及び４３を有し、これらの遮蔽部材４２及び４３は、ネジ３７，４１の頭部３８のための収納部を有する表面に位置している。基部２７は、さらに、遮蔽部材４２及び４３と、受け入れる穴部内に、例えば、失い難く取り付けられたネジ３７，４１とを有して提供される。
【００３３】
図６は、小さな容量のモジュール２２，２３，２４を通る滑り機構８の軸線７と垂直な断面であり、この図面における基部２７ａの主な機能は、モジュール式気体分配部組立体２０全体のための共通圧力ダクト部分３４及び共通排気ダクト部分３５を提供し、各モジュール２２，２３，２４を制御アクチュエータに接続するように、モジュール２２，２３，２４に関連する表面と出口オリフィス４４ａとの間の内部ダクトを提供することである。この基部２７ａは、分配部分２６の表面が設置されて、分配部支持プレート１２と、分配部分２６の本体１と、それらの間に挟まれる滑らかな分配プレート１１と共に二つのネジ４６によって固定される表面を提供する単純な矩形の平行六面体に過ぎない。その上面３において、分配部分２６は、滑り機構８を導くために、一つ又は二つの電気制御パイロット弁２８を担持する。
【００３４】
一端部において、電気制御パイロット弁２８はタブ４７を有し、このタブが、分配部分２６の前面４に設けられた穴部４７ａ内に受け入れられ、一方、電気制御パイロット弁２８の他端部４８は、電気制御パイロット弁２８を分配部分２６へ固定するための固定手段４９を受け取るために分配部分２６を越えて突出し、この固定手段４９から接続ワイヤ５０が延在している。
【００３５】
図７及び８に示された他の二つの実施形態において、分配部分２６及び電気制御パイロット弁２８に連結される本発明の基部２７ｂは、大きな容量のモジュール２５に関している。これらの大きな容量のモジュール２５と、図６の小さな容量のモジュール２２，２３，２４との間に見られる違いは、小さなエルボと称される連結部２９又は大きな直径の連結部３０を受け入れるための出口オリフィス４４ｂの直径と、平らな滑り分配部分２６のシュー１６の中空内部１７とに存在する。図７及び８において、滑らかな分配プレート１１の細長穴上のシュー１６によって構成されるアーチ架橋は、図６に示すシュー１６より深いことが理解される。
【００３６】
これらの実施形態において、基部２７ｂは、前述の基部２７ａと全体的に同様な断面（出口オリフィス４４ｂの直径を除き）と、分配部分２６の上面３と高さ的に一致する上面６１，７１を有するように、配置された分配部分２６の背面に沿って、滑り機構８の軸線７と平行で分配部分２６が配置される表面に垂直に直立する背部６０，７０とを有している。この上面６１，７１は、こうして、電気制御パイロット弁２８が設置される平面として延在する。この電気制御パイロット弁２８は、固定ナット６３，７３と協働するネジによって、この平面を介して基部２７ｂへ固定可能である。
【００３７】
図７において、背部６０は、電気制御パイロット弁２８のピンと協働する電気導体６４と適合しており、この電気導体６４は、電気制御パイロット弁２８の電力供給ワイヤのための接続端子６２を担持する背部６０のリム６５に対して押圧される。
【００３８】
図８において、背部７０は、電気制御パイロット弁２８の底ピンを受け入れるためのコネクタ７５と連続のモジュール２２，２３，２４のそれぞれへの電気接続を形成するための複数のピンコネクタ７６と共に、プリント回路７４が受け入れられるモジュール２５の背面の横方向通路を構成する。
【００３９】
前述は、最も小さな容量の分配部分３６の内部流れ断面積が１２ｍｍ２であり、並びを形成するために二つの異なる容量だけが存在する本発明の好適な実施形態に関している。
【００４０】
本発明の他の実施形態も可能である。それでも、これらの実施形態のそれぞれが、前述と同様な、すなわち、１２ｍｍ２の内部流れ断面積を有する小さな容量の分配部分２６を有することは有利である。これは、モジュール式気体分配部組立体２０に最も頻繁に使用され、自動化気体装置の主な流量要求を与える大きさである。指摘したように、滑り機構８の軸線７に沿っての長さは約２２ｍｍである。このモジュール２２，２３，２４は、次に、大きな容量、例えば、３０ｍｍ２及び４８ｍｍ２又はそれ以上の内部流れ断面積を有する他のモジュール２５と連結させることができる。これらのモジュール２５は、必然的に、組み付け方向（滑り機構８の軸線７の方向）において、最も小さな容量のモジュール２２，２３，２４より大きくなる。二つ又は三つのさらなるモジュール２５のそれぞれにおいて、この寸法は特定値とされる。しかしながら、このようなモジュール２５が装置に存在する頻度は全体的に低く（最も小さな容量のモジュール２２，２３，２４が存在する頻度の四分の一より低い）、この寸法の大きさは、一組のモジュール式気体分配部組立体２０の長さに小さくしか影響しない。こうして、最も小さなモジュール２２，２３，２４以外の全てのモジュール２５にとって、これらの他の実施形態においては、この寸法は、最も大きな容量のモジュール２５のために必要な寸法と同一とすることができる。これは、小さなモジュール２２，２３，２４に加えられるモジュール２５にとって、高く基準化された製造からの利点を得ることを可能とする。分配部分２６の構成要素の全ては、一つのモジュール２２，２３，２４からもう一つのモジュール２５へ変化する分配オリフィス１３，１４，１５が設けられた滑らかな分配プレート１１を除き、最も大きな容量のために形成された構成要素と同一とすることができ、分配プレート１１の違いは、分配オリフィス１３，１４，１５を形成する細長穴の幅及び相対位置だけである。一つのモジュール２２，２３，２４からもう一つのモジュール２５へのもう一つの変更点は、連結部２９，３０を収納するための出口オリフィス４４ａ，４４ｂの直径である。これに関して、最も大きな容量のモジュール２５が、基部２７ｂの厚さ（分配部分２６が設置される平面に垂直な寸法）を決定し、これに基づいて、最も小さな容量のモジュールの基部２７ａの厚さが決定される。
【図面の簡単な説明】
【図１】  本発明のモジュール式気体分配部組立体の一例の外形図である。
【図２】  図１のモジュール式気体分配部組立体の共通の断面図である。
【図３】  図１のモジュール式気体分配部組立体内に並置された二つの異なる容量の分配部分を有するモジュールを通る長手断面図である。
【図４】  図３の二つの容量の分配部分で使用される分配プレートの平面図であり、（Ａ）は小さな容量の分配部分用であり、（Ｂ）は大きな容量の分配部分用である。
【図５】  基部が互いにどのように連結されるかを示す概略断面図である。
【図６】  本発明の一つの種類のモジュール式気体分配部組立体を実施するのに使用可能な基部を通る概略断面図である。
【図７】  本発明のもう一つの種類のモジュール式気体分配部組立体を実施するのに使用可能な基部を通る概略断面図である。
【図８】  本発明のさらにもう一つの種類のモジュール式気体分配部組立体を実施するのに使用可能な基部を通る概略断面図である。
【符号の説明】
７…軸線
８…滑り機構
１３，１４，１５…分配オリフィス
２２，２３，２４，２５…モジュール
２６…分配部分
２７…基部
３４…共通圧力ダクト部分
３５…共通排気ダクト部分
【図１】
0004463897.tif 000002
【図２】
0004463897.tif 000003
【図３】
0004463897.tif 000004
【図４】
0004463897.tif 000005
【図５】
0004463897.tif 000006
【図６】
0004463897.tif 000007
【図７】
0004463897.tif 000008
【図８】
0004463897.tif 000009